(57)【要約】    【課題】自動終端設定および自動アドレス付与を可能にする。    【解決手段】テレビインターホン親機から、第１、第２のテレビインターホン増設親機に対して、第１、第２の親機電圧降下素子Ｒ２ａ、Ｒ２ｂを介して電圧を印加し、第１、第２のテレビインターホン増設親機に設けた第１、第２の増設親機電圧降下素子Ｒ３ａ、Ｒ４ａにて電流を流し、第１、第２の増設親機電圧降下素子の両端の電圧を計測し、ラインでの電圧降下により、テレビインターホン親機から遠いテレビインターホン増設親機の電圧ほど低電圧になることで、第１、第２のテレビインターホン増設親機で計測した電圧が相違することに基づいて第１、第２の各テレビインターホン増設親機に個別のアドレスの付与を行う。    【選択図】図２
2005286592.tif 000002
【特許請求の範囲】
【請求項１】
玄関先に設置されＣＣＤ等の撮像素子（１１）を内蔵し、映像信号を変調して送出するテレビインターホン玄関子機（１）、前記テレビインターホン玄関子機からの変調信号を復調してＬＣＤ等の画像表示装置（２１）に表示するテレビインターホン親機（２）、前記テレビインターホン親機から送り配線で接続され、前記テレビインターホン親機から出力された変調信号をライン（Ｌ２、Ｌ３）を介してＬＣＤ等の画像表示装置（３１、４１）に復調して表示する複数のテレビインターホン増設親機（３、４）とを備え、
前記テレビインターホン親機から、前記複数のテレビインターホン増設親機に対して、親機電圧降下素子（Ｒ２ａ、Ｒ２ｂ）を介して電圧を印加し、前記テレビインターホン増設親機に設けた増設親機電圧降下素子（Ｒ３ａ、Ｒ４ａ）にて電流を流し、前記増設親機電圧降下素子の両端の電圧を計測し、前記ラインでの電圧降下により前記テレビインターホン親機から遠いテレビインターホン増設親機の電圧ほど低電圧になることで前記テレビインターホン増設親機で計測した電圧が相違することに基づいて各テレビインターホン増設親機に個別のアドレスの付与を行うことを特徴とするテレビインターホンシステム。
【請求項２】
前記アドレスは、計測された電圧のアナログ値をデジタル化したデジタル値をアドレスとすることにより付与されることを特徴とする請求項１記載のテレビインターホンシステム。
【請求項３】
前記アドレスは、前記テレビインターホン親機から遠いテレビインターホン増設親機ほど小さなアドレスとなるように付与され、アドレスの最も小さなテレビインターホン増設親機に対し終端設定を行うことを特徴とする請求項１又は請求項２記載のテレビインターホンシステム。
【請求項４】
前記終端設定は、各テレビインターホン増設親機の終端インピーダンス（Ｒ３ｂ、Ｒ４ｂ）を制御する電子スイッチ（ＳＷ３、ＳＷ４）をＯＮ、ＯＦＦさせることにより行うことを特徴とする請求項１乃至請求項３何れか１項記載のテレビインターホンシステム。
【発明の詳細な説明】
【技術分野】
【０００１】
本発明は、テレビインターホンシステムに係わり、自動終端設定および自動アドレス付与を行うことができるテレビインターホンシステムに関する。
【背景技術】
【０００２】
従来から、この種のテレビインターホンシステムとして、玄関先に設置されＣＣＤ等の撮像素子を内蔵し、映像信号を変調して送出するテレビインターホン玄関子機と、テレビインターホン玄関子機からの変調信号を復調してＬＣＤ等の画像表示装置に表示するテレビインターホン親機と、テレビインターホン親機から送り配線で接続され、テレビインターホン親機から出力された変調信号をラインを介してＬＣＤ等の画像表示装置に復調して表示する複数のテレビインターホン増設親機とを備えるものが知られている（例えば、特許文献１参照）。
【０００３】
ところで、このような構成のテレビインターホンシステムにおいては、複数のテレビインターホン増設親機にそれぞれ設けられた終端設定スイッチのうち、テレビインターホン親機に近いテレビインターホン増設親機（以下「第１のテレビインターホン増設親機」という。）の終端設定スイッチがＯＦＦ状態に、テレビインターホン親機から最も遠いテレビインターホン増設親機（以下「第２のテレビインターホン増設親機」という。）の終端設定スイッチがＯＮ状態に設定されている。このような終端設定スイッチの設定により、各機器間を結ぶラインは、最終端末である第２のテレビインターホン増設親機の入力インピーダンスにおいて終端され、インピーダンスマッチングの取れた状態に設定されことになるる。また、これらの終端設定スイッチは、上記のようなラインのインピーダンスマッチングのためだけではなく、それぞれに連動した終端設定スイッチを用いて、第１、第２のテレビインターホン増設親に設けられたＣＰＵにプルアップ接続することにより、第１、第２のテレビインターホン増設親機のアドレス付与が行われている（例えば、非特許文献２参照）。
【０００４】
しかしながら、従来のテレビインターホンシステムにおいては、上記の終端設定スイッチの設定やアドレス付与が手動により行なわれることから、ユーザあるいは工事業者等が設定を誤ったり、また設定を忘れたりする等の難点があった。
【０００５】
【特許文献１】特開２００１−２４５２８５号公報（段落番号「００１３」、図１）
【非特許文献１】アイホン（株）工事説明書「ハンズフリーカラーテレビドアホン２・３形」
【発明の開示】
【発明が解決しようとする課題】
【０００６】
本発明は、上述の難点を解消するためになされたもので、自動終端設定および自動アドレス付与を行うことにより、人為的な設定ミスやアドレス付与ミスを回避することができるテレビインターホンシステムを提供することを目的とする。
【課題を解決するための手段】
【０００７】
本発明の第１の態様であるテレビインターホンシステムは、玄関先に設置されＣＣＤ等の撮像素子を内蔵し、映像信号を変調して送出するテレビインターホン玄関子機、テレビインターホン玄関子機からの変調信号を復調してＬＣＤ等の画像表示装置に表示するテレビインターホン親機、テレビインターホン親機から送り配線で接続され、テレビインターホン親機から出力された変調信号をラインを介してＬＣＤ等の画像表示装置に復調して表示する複数のテレビインターホン増設親機とを備え、
テレビインターホン親機から、複数のテレビインターホン増設親機に対して、親機電圧降下素子を介して電圧を印加し、テレビインターホン増設親機に設けた増設親機電圧降下素子にて電流を流し、増設親機電圧降下素子の両端の電圧を計測し、ラインでの電圧降下によりテレビインターホン親機から遠いテレビインターホン増設親機の電圧ほど低電圧になることでテレビインターホン増設親機で計測した電圧が相違することに基づいて各テレビインターホン増設親機に個別のアドレスの付与を行うものである。
【０００８】
本発明の第２の態様は、本発明の第１の態様であるテレビインターホンシステムにおいて、アドレスは、計測された電圧のアナログ値をデジタル化したデジタル値をアドレスとすることにより付与されるものである。
【０００９】
本発明の第３の態様は、本発明の第１の態様または第２の態様であるテレビインターホンシステムにおいて、アドレスは、テレビインターホン親機から遠いテレビインターホン増設親機ほど小さなアドレスとなるように付与され、アドレスの最も小さなテレビインターホン増設親機に対し終端設定を行うものである。
【００１０】
本発明の第４の態様は、本発明の第２の態様乃至第４の態様の何れかの態様であるテレビインターホンシステムにおいて、終端設定は、各テレビインターホン増設親機の終端インピーダンスを制御する電子スイッチをＯＮ、ＯＦＦさせることにより行うものである。
【発明の効果】
【００１１】
本発明の第１の態様乃至４の態様のテレビインターホンシステムによれば、テレビインターホン増設親機で計測した電圧が相違することに基づいて各テレビインターホン増設親機に個別のアドレスの付与を行うことができ、また、ラインでの電圧降下によりテレビインターホン親機から遠いテレビインターホン増設親機の電圧ほど低電圧になることで、テレビインターホン親機から遠いテレビインターホン増設親機に小さなアドレスを付与し、アドレスの最も小さなテレビインターホン増設親機の終端設定スイッチをＯＮ状態に設定することで、自動的に終端設定スイッチの設定を行うことができる。
【発明を実施するための最良の形態】
【００１２】
以下、本発明のテレビインターホンシステムを適用した実施の形態例について、図面を参照して説明する。ここで、図１は、本発明の一実施例におけるテレビインターホンシステムのシステム構成図を示している。
【００１３】
同図において、本発明のテレビインターホンシステムは、玄関先に設置され第１、第２の子機端子Ｔ１ａ、Ｔ１ｂを有するテレビインターホン玄関子機１と、住戸内に設置され第１〜第４の親機端子Ｔ２ａ〜Ｔ２ｄを有するテレビインターホン親機２と、住戸内に設置され第１〜第４の増設親機端子Ｔ３ａ〜Ｔ３ｄ、Ｔ４ａ〜Ｔ４ｄを有する第１、第２のテレビインターホン増設親機３、４とを備えている。ここで、テレビインターホン親機２は、第１のラインＬ１を介してテレビインターホン玄関子機１に、第２のラインＬ２を介して第１のテレビインターホン増設親機３にそれぞれ接続され、また、第１のテレビインターホン増設親機３には第３のラインＬ３を介して第２のテレビインターホン増設親機４が接続されている。なお、第１のラインＬ１は第１、第２の子機ラインＬ１ａ、Ｌ１ｂで、第２のラインＬ２は第１、第２の親機ラインＬ２ａ、Ｌ２ｂで、第３のラインＬ３は第１、第２の増設親機ラインＬ３ａ、Ｌ３ｂでそれぞれ構成されている。
【００１４】
テレビインターホン玄関子機１は、ＣＣＤ等の撮像素子１１、映像信号を変調するＦＭ変調回路１２、子機アンプＡ１、子機出力インピーダンスＲ１および第１、第２の子機コンデンサＣ１ａ、Ｃ１ｂおよび子機インピーダンス変換トランスＴｒ１の各部（回路）を備えている。
【００１５】
ここで、子機インピーダンス変換トランスＴｒ１の出力側の高圧側は第１の子機コンデンサＣ１ａを介して第１の子機端子Ｔ１ａに接続され、子機インピーダンス変換トランスＴｒ１の出力側の低圧側は第２の子機コンデンサＣ１ｂを介して第２の子機端子Ｔ１ｂに接続されている。また、子機インピーダンス変換トランスＴｒ１の入力側の高圧側は子機出力インピーダンスＲ１を介して子機アンプＡ１の出力側に接続され、子機アンプＡ１の入力側にはＦＭ変調回路１２を介して撮像素子１１が接続されている。なお、子機インピーダンス変換トランスＴｒ１の入力側の低圧側は接地されている。
【００１６】
テレビインターホン親機２は、ＬＣＤ等の画像表示装置（以下「親機画像表示装置」という。）２１、変調信号を復調するＦＭ復調回路（以下「親機ＦＭ復調回路」という。）２２、第１、第２の親機アンプＡ２ａ、Ａ２ｂ、第１、第２の親機出力インピーダンスＲ２ｃ、Ｒ２ｄ、第１〜第４の親機コンデンサＣ２ａ〜Ｃ２ｄ、第１、第２の親機電圧降下素子Ｒ２ａ、Ｒ２ｂおよび第１、第２の親機インピーダンス変換トランスＴｒ２ａ、Ｔｒ２ｂの各部（回路）を備えている。
【００１７】
ここで、第１の親機インピーダンス変換トランスＴｒ２ａの入力側の高圧側は、第１の親機コンデンサＣ２ａ、第１の親機端子Ｔ２ａおよび第１の子機ラインＬ１ａを介して第１の子機端子Ｔ１ａに接続され、第１の親機インピーダンス変換トランスＴｒ２ａの入力側の低圧側は、第２の親機コンデンサＣ２ｂ、第２の親機端子Ｔ２ｂおよび第２の子機ラインＬ１ｂを介して第２の子機端子Ｔ１ｂに接続されている。また、第１の親機インピーダンス変換トランスＴｒ２ａの出力側の高圧側は、第１の親機出力インピーダンスＲ２ｃの一方側、第１の親機アンプＡ２ａの入力側に接続され、第１の親機アンプＡ２ａの出力側には親機ＦＭ復調回路２２を介して親機画像表示装置２１および第２の親機アンプＡ２ｂの入力側が接続されている。なお、第１の親機インピーダンス変換トランスＴｒ２ａの出力側の低圧側および第１の親機出力インピーダンスＲ２ｃの他方側は接地されている。
【００１８】
一方、第２の親機インピーダンス変換トランスＴｒ２ｂの入力側の高圧側は第２の親機出力インピーダンスＲ２ｄを介して第２の親機アンプＡ２ｂの出力側に接続され、第２の親機インピーダンス変換トランスＴｒ２ｂの出力側の高圧側は第３の親機コンデンサＣ２ｃを介して第１の親機電圧降下素子Ｒ２ａの一方側および第３の親機端子Ｔ２ｃに接続され、第１の親機電圧降下素子Ｒ２ａの他方側には基準電源Ｖｃｃが接続されている。また、第２の親機インピーダンス変換トランスＴｒ２ｂの出力側の低圧側は第４の親機コンデンサＣ２ｃを介して第２の親機電圧降下素子Ｒ２ｂの一方側および第４の親機端子Ｔ２ｄに接続されている。なお、第２の親機インピーダンス変換トランスＴｒ２ｂの入力側の低圧側および第２の親機電圧降下素子Ｒ２ｂの他方側は接地されている。
【００１９】
第１のテレビインターホン増設親機３は、ＬＣＤ等から成る画像表示装置（以下「第１の増設親機画像表示装置」という。）３１、変調信号を復調するＦＭ復調回路（以下「第１の増設親機ＦＭ復調回路」という。）３２、第１、第２の増設親機アンプＡ３ａ、Ａ３ｂ（以下、Ａ３ａを「第１の親機側アンプ」、Ａ３ｂを「第２の親機側アンプ」という。）、第１、第２の増設親機コンデンサＣ３ａ、Ｃ３ｂ（以下、Ｃ３ａを「第１の親機側コンデンサ」、Ｃ３ｂを「第２の親機側コンデンサ」という。）、増設親機電圧降下素子（以下「第１の増設親機電圧降下素子」という。）Ｒ３ａ、終端インピーダンス（以下「第１の終端インピーダンス」という。）Ｒ３ｂを制御する電子スイッチ（以下「第１の電子スイッチ」という。）ＳＷ３、増設親機インピーダンス変換トランス（以下「第１の増設親機インピーダンス変換トランス」という。）Ｔｒ３および各部（回路）を制御するＣＰＵ（以下「第１の増設親機ＣＰＵ」という。）３３を備えている。
【００２０】
ここで、第１の増設親機インピーダンス変換トランスＴｒ３の入力側の高圧側は、第１の親機側コンデンサＣ３ａを介して第１の親機側保護抵抗Ｒ３ａの一方側および第１、第３の増設親機端子Ｔ３ａ、Ｔ３ｃに接続され、第１の増設親機端子Ｔ３ａには第１の親機ラインＬ２ａを介して第３の親機端子Ｔ２ｃが接続されている。また、第１の増設親機インピーダンス変換トランスＴｒ３の出力側の低圧側は第２の親機側コンデンサＣ３ｂを介して第１の親機側保護抵抗Ｒ３ａの他方側および第２、第４の増設親機端子Ｔ３ｂ、Ｔ３ｄに接続され、第２の増設親機端子Ｔ３ｂには第２の親機ラインＬ２ｂを介して第４の親機端子Ｔ２ｄが接続されている。さらに、第１の増設親機インピーダンス変換トランスＴｒ３の出力側の高圧側は第２の親機側保護抵抗Ｒ３ｂの一方側および第１の親機側アンプＡ３ａの入力側に接続され、第２の親機側保護抵抗Ｒ３ｂの他方側には一端側を接地した電子スイッチＳＷ３の他端側が接続され、第１の親機側アンプＡ３ａの出力側には第１の増設親機ＦＭ復調回路３２を介して第１の増設親機画像表示装置３１がそれぞれ接続されている。また、第１の親機側保護抵抗Ｒ３ａの両端側には第２の親機側アンプＡ３ｂを介して第１の増設親機ＣＰＵ３３が接続され、第１の増設親機ＣＰＵ３３には電子スイッチＳＷ３が接続されている。
【００２１】
第２のテレビインターホン増設親機４は、第１のテレビインターホン増設親機３と同様の構成とされ、変調信号を復調するＦＭ復調回路（以下「第２の増設親機ＦＭ復調回路」という。）４２、ＬＣＤ等から成る画像表示装置（以下「第２の増設親機画像表示装置」という。）４１、第１、第２の増設親機アンプＡ４ａ、Ａ４ｂ（以下、Ａ４ａを「第１の増設親機側アンプ」、Ａ４ｂを「第２の増設親機側アンプ」という。）、第１、第２の増設親機コンデンサＣ４ａ、Ｃ４ｂ（以下、Ｃ４ａを「第１の増設親機側コンデンサ」、Ｃ４ｂを「第２の増設親機側コンデンサ」という。）、増設親機電圧降下素子（以下「第２の増設親機電圧降下素子」という。）Ｒ４ａ、終端インピーダンス（以下「第２の終端インピーダンス」という。）Ｒ４ｂを制御する電子スイッチ（以下「第２の電子スイッチ」という。）ＳＷ４、増設親機インピーダンス変換トランス（以下「第２の増設親機インピーダンス変換トランス」という。）Ｔｒ４，各部（回路）を制御するＣＰＵ（以下「第２の増設親機ＣＰＵ」という。）４３を備えており、第１の終端インピーダンスＲ３ｂと第２の終端インピーダンスＲ４ｂは同値である。
【００２２】
ここで、第２のテレビインターホン増設親機４の第１の増設親機端子Ｔ４ａは、第２のテレビインターホン増設親機４の第３の増設親機端子Ｔ４ｃ、第１の増設親機ラインＬ３ａを介して第１のテレビインターホン増設親機３の第３の増設親機端子Ｔ３ｃに接続され、第２のテレビインターホン増設親機４の第２の増設親機端子Ｔ４ｂは、第２のテレビインターホン増設親機４の第４の増設親機端子Ｔ４ｄ、第２の増設親機ラインＬ３ｂを介して第１のテレビインターホン増設親機３の第４の増設親機端子Ｔ３ｄに接続されている。なお、第２のテレビインターホン増設親機４の各部（回路）は、上記の第１〜第４の増設親機端子Ｔ４ａ〜Ｔ４ｄおよび第１、第２の増設親機ラインＬ３ａ、Ｌ３ｂの接続関係を除いて、第１のテレビインターホン増設親機３と同様であることから、詳細な説明を省略する。
【００２３】
図２は、テレビインターホン親機２から、第１、第２のテレビインターホン増設親機３、４に対して、第１、第２の親機電圧降下素子Ｒ２ａ、Ｒ２ｂを介して電圧を印加する場合における第１、第２の増設親機電圧降下素子Ｒ３ａ、Ｒ３ｂの両端の電圧の計測状況を示す等価回路図を示している。なお、同図において、図１と共通する部分には同一の符号が付されている。
【００２４】
図２において、ＲＬ２ａ、ＲＬ２ｂをそれぞれ第１、第２の親機ラインＬ２ａ、Ｌ２ｂの抵抗（以下「第１、第２の親機ライン抵抗」という。）、ＲＬ３ａ、ＲＬ３ｂをそれぞれ第１、第２の増設親機ラインの抵抗（以下「第１、第２の増設親機ライン抵抗」という。）とすると、第１の親機ライン抵抗ＲＬ２ａは、第１の親機電圧降下素子Ｒ２ａの一方側と第１の増設親機電圧降下素子Ｒ３ａの一方側間に直列に接続され、第２の親機ライン抵抗ＲＬ２ｂは、第２の親機電圧降下素子Ｒ２ｂの一方側と第１の増設親機電圧降下素子Ｒ３ａの他方側間に直列に接続されることになる。また、第１の増設親機ライン抵抗ＲＬ３ａは、第１の親機ライン抵抗ＲＬ２ａの一方側と第２の増設親機電圧降下素子Ｒ４ａの一方側間に直列に接続され、第２の増設親機ライン抵抗ＲＬ３ｂは、第２の親機ライン抵抗ＲＬ２ｂの一方側と第２の増設親機電圧降下素子Ｒ４ａの他方側間に直列に接続されることになる。なお、第１の親機側アンプＡ３ｂの出力側には第１の増設親機電圧降下素子Ｒ３ａの両端の電圧を差動にて検出するＣＰＵ３３に内蔵された第１の電圧計Ｖａが接続され、第１の増設親機側アンプＡ４ｂの出力側には第２の増設親機電圧降下素子Ｒ４ａの両端の電圧を差動にて検出するＣＰＵ３３に内蔵された第２の電圧計Ｖｂが接続されている。
【００２５】
次に、このように構成された本発明のテレビインターホンシステムの動作について説明する。なお、（イ）来訪者の画像がテレビインターホン玄関子機１の撮像素子１１で撮像され、撮像された映像信号がＦＭ変調回路１２においてＦＭ変調されて、テレビインターホン親機２へ送出される点、（ロ）テレビインターホン親機２において、テレビインターホン玄関子機１から送出された変調信号を親機ＦＭ復調回路２２においてＦＭ復調して画像表示装置２１に来訪者の画像を表示させる点、（ハ）第１、第２のテレビインターホン増設親機３、４において、テレビインターホン親機２からラインＬ２、Ｌ３を介して出力された変調信号を増設親機ＦＭ復調回路３２、４２においてＦＭ復調して画像表示装置３１、４１に来訪者の画像を表示させる点は、従来のテレビインターホンシステムと同様であることから詳細な説明を省略し、ここでは、第１、第２のテレビインターホン増設親機３、４で計測した電圧が相違することに基づいて各テレビインターホン増設親機に個別のアドレスを付与する点、並びに自動終端設定の動作を中心にして説明する。
【００２６】
最初に自動アドレス付与について説明する。
【００２７】
図２において、先ず、テレビインターホン親機２における基準電源Ｖｃｃが第１、第２の親機電圧降下素子Ｒ２ａ、Ｒ２ｂおよび第１、第２の親機ライン抵抗ＲＬ２ａ、ＲＬ２ｂを介して第１の増設親機電圧降下素子Ｒ３ａに印加されると、当該第１の増設親機電圧降下素子Ｒ３ａに
所定の電流が流れることになる。これにより、当該第１の増設親機電圧降下素子Ｒ３ａの両端の電圧は、第１の親機側アンプＡ３ｂを介して第１の電圧計Ｖａで計測することができる。また、上記の基準電源Ｖｃｃは、第１の増設親機電圧降下素子Ｒ３ａの両側に第１、第２の増設親機ライン抵抗ＲＬ３ａ、ＲＬ３ｂを介して並列に接続された第２の増設親機電圧降下素子Ｒ４ａにも印加されることから、当該第２の増設親機電圧降下素子Ｒ４ａに所定の電流が流れることになる。これにより、当該第２の増設親機電圧降下素子Ｒ４ａの両端の電圧は、第１の増設親機側アンプＡ４ｂを介して第２の電圧計Ｖｂで計測することができる。
【００２８】
ここで、第１の電圧計Ｖａにおいて計測される電圧値Ｖ１（以下「第１の電圧値Ｖ１」という。）の絶対値と、第２の電圧計Ｖｂにおいて計測される電圧値Ｖ２（以下「第２の電圧値Ｖ２」という。）の絶対値を比較すると、第１、第２の増設親機ライン抵抗ＲＬ３ａ、ＲＬ３ｂにおける電圧降下により、テレビインターホン親機２から遠い第２のテレビインターホン増設親機４の電圧ほど低電圧になることから、必然的に第２の電圧値Ｖ２が第１の電圧値Ｖ１よりも小さな値となる。なお、この実施例においては、テレビインターホン増設親機が２台設置されているが、テレビインターホン増設親機の設置台数がこれより増加したとしても、テレビインターホン親機２からみて遠く離れた位置に設置されるテレビインターホン増設親機の電圧値は、当該テレビインターホン増設親機よりも上流側に設置されるテレビインターホン増設親機と比較して小さな値を示し、また、これらのテレビインターホン増設親機における電圧値は同一の値を示すこともない。
【００２９】
従って、このような構成のテレビインターホンシステムにおいては、
第１、第２のテレビインターホン増設親機３、４で計測した第１、第２の電圧値Ｖ１、Ｖ２が相違することから、これらの相違する第１、第２の電圧値Ｖ１、Ｖ２を第１、第２の増設親機ＣＰＵ３３、４３のそれぞれのＡ／Ｄポート（不図示）に入力し、そのデジタル値を直接アドレスとして認識させることにより、第１、第２のテレビインターホン増設親機３、４に個別のアドレスを付与することができ、ひいては、従来のテレビインターホンシステムのように、設定スイッチにより手動でアドレス設定を行う必要がなくなる。
【００３０】
次に、自動終端設定について説明する。
【００３１】
先ず、第１、第２の親機電圧降下素子Ｒ２ａ、Ｒ２ｂおよび第１、第２の増設親機電圧降下素子Ｒ３ａ、Ｒ４ａは、インピーダンスマッチングの支障にならないようにするため、第１、第２の終端インピーダンスＲ３ｂ、Ｒ４ｂより十分に大きな抵抗値（＞＞Ｒ３ｂ、＞＞Ｒ４ｂ）を選択する必要がある。
【００３２】
終端設定は、従来のテレビインターホンシステムと同様に、インピーダンスマッチングを取るために、最終端末のみで終端する必要がある。
【００３３】
先ず、初期化時において、第１のテレビインターホン増設親機３から、上述の第１の増設親機ＣＰＵ３３におけるＡ／Ｄポートの値を自己のアドレスとして、登録要求コマンド（以下「第１の登録要求コマンド」という。）が第２のラインＬ２を介してテレビインターホン親機２へ送信される。同様にして、第２のテレビインターホン増設親機４から、上述の第２の増設親機ＣＰＵ４３におけるＡ／Ｄポートの値を自己のアドレスとして、登録要求コマンド（以下「第２の登録要求コマンド」という。）が第３のラインＬ３、第１のテレビインターホン増設親機３および第２のラインＬ２を介してテレビインターホン親機２へ送信される。かかる第１、第２の登録要求コマンドがテレビインターホン親機２の親機ＣＰＵ（不図示）で検出されると、親機ＣＰＵの制御により、第１、第２のテレビインターホン増設親機３、４のアドレスの登録が行なわれる。
【００３４】
ここで、第１、第２のテレビインターホン増設親機３、４のアドレスは、テレビインターホン親機２から遠いテレビインターホン増設親機（この実施例では第２のテレビインターホン増設親機４）がテレビインターホン親機２に近いテレビインターホン増設親機（この実施例では第１のテレビインターホン増設親機３）と比較して小さなアドレスとなることから、テレビインターホン親機２は、この小さなアドレスから、第２のテレビインターホン増設親機４が最終端に接続されていると判断することができる。
【００３５】
このようにして、最も小さなアドレスを持つ第２のテレビインターホン増設親機４が最終端に接続されていると判断されると、親機ＣＰＵから終端設定コマンドが出力され、当該終端設定コマンドが前述の第２の登録要求コマンドと逆の経路を経由して第２のテレビインターホン増設親機４へ送信される。かかる終端設定コマンドが第２の増設ＣＰＵ４３で検出されると、第２の増設ＣＰＵ４３の制御により、第２の電子スイッチＳＷ４がＯＮされ、これにより、テレビインターホンシステムにおける自動終端設定が完了し、インピーダンスマッチングを取ることができる。
【産業上の利用可能性】
【００３６】
前述の実施例においては、テレビインターホン親機に２台のテレビインターホン増設親機を接続した場合について説明しているが、システムの規模に応じてその設置台数を増加してもよい。
【図面の簡単な説明】
【００３７】
【図１】本発明の一実施例におけるテレビインターホンシステムのシステム構成図。
【図２】本発明における第１、第２の増設親機電圧降下素子の両端の電圧の計測状況を示す等価回路図。
【符号の説明】
【００３８】
１１・・・撮像素子
１・・・テレビインターホン玄関子機
２・・・テレビインターホン親機
２１・・・画像表示装置（親機画像表示装置）
Ｒ２ａ・・・親機電圧降下素子（第１の親機電圧降下素子）
Ｒ２ｂ・・・親機電圧降下素子（第２の親機電圧降下素子）
３・・・第１のテレビインターホン増設親機
３１・・・画像表示装置（第１の増設親機画像表示装置）
Ｒ３ａ・・・増設親機電圧降下素子（第１の増設親機電圧降下素子）
Ｒ３ｂ・・・終端インピーダンス（第１の終端インピーダンス）
ＳＷ３・・・電子スイッチ（第１の電子スイッチ）
４・・・第２のテレビインターホン増設親機
４１・・・画像表示装置（第２の増設親機画像表示装置）
Ｒ４ａ・・・増設親機電圧降下素子（第２の増設親機電圧降下素子）
Ｒ４ｂ・・・終端インピーダンス（第２の終端インピーダンス）
ＳＷ４・・・電子スイッチ（第２の電子スイッチ）
Ｌ２・・・第２のライン
Ｌ３・・・第３のライン
【図１】
2005286592.tif 000003
【図２】
2005286592.tif 000004